(57)【要約】【課題】コンデンサヘッドホンユニットにおける振動板の制動を簡単に調整できるようにする。【解決手段】振動板１０と、振動板１０と薄空気層を介して対向的に配置される固定極２０とを含み、固定極２０における振動板１０の有効振動部分と対向する部分に複数の音孔２２が穿設されているコンデンサヘッドホンユニットにおいて、固定極２０の反振動板側（背面側）に、振動板１０の振動に伴って発生し音孔２２を通る音波に対する音響抵抗を調整する複数の音響抵抗孔３１を有する抵抗板３０を、固定極２０に対して所定の間隔をもって配置する。【選択図】図１
2010288107.tif 000002
【特許請求の範囲】
【請求項１】
振動板と、上記振動板と薄空気層を介して対向的に配置される固定極とを含み、上記固定極における上記振動板の有効振動部分と対向する部分に複数の音孔が穿設されているコンデンサヘッドホンユニットにおいて、
上記固定極の反振動板側に、所定の間隔をもって上記固定極と平行に配置される抵抗板を備え、上記抵抗板には、上記振動板の振動に伴って発生し上記音孔を通る音波に対する音響抵抗を調整する複数の音響抵抗孔が穿設されていることを特徴とするコンデンサヘッドホンユニット。
【請求項２】
上記音響抵抗孔は、上記音孔に対して非同軸の位置に配置されていることを特徴とする請求項１に記載のコンデンサヘッドホンユニット。
【請求項３】
上記音響抵抗孔の数は、上記抵抗板の中央部分においては少なく、上記抵抗板の周縁部分では上記中央部分の数よりも多くされていることを特徴とする請求項１または２に記載のコンデンサヘッドホンユニット。
【請求項４】
上記音響抵抗孔の孔径は、上記抵抗板の中央部分では小径であり、上記中央部分の周りの周縁部分に行くにしたがって大径とされていることを特徴とする請求項１ないし３のいずれか１項に記載のコンデンサヘッドホンユニット。
【請求項５】
上記抵抗板は、上記固定極に対して、その面方向に移動可能であることを特徴とする請求項１ないし４のいずれか１項に記載のコンデンサヘッドホンユニット。
【請求項６】
上記固定極と上記抵抗板との対向面のいずれか一方の面には、起立パイルが植設されていることを特徴とする請求項１に記載のコンデンサヘッドホンユニット。
【請求項７】
上記起立パイルは、少なくとも上記抵抗板と上記固定極との間隔に相当する長さを備えていることを特徴とする請求項６に記載のコンデンサヘッドホンユニット。
【請求項８】
上記起立パイルは、上記固定極側に植設され、上記音孔内および上記固定極の上記振動板と対向する面側にも設けられていることを特徴とする請求項６または７に記載のコンデンサヘッドホンユニット。
【発明の詳細な説明】
【技術分野】
【０００１】
本発明は、コンデンサヘッドホンユニットに関し、さらに詳しく言えば、振動板を制動する振動板制動用音響抵抗に関するものである。
【背景技術】
【０００２】
コンデンサヘッドホンユニットでは、例えば振動板側に所定の直流電圧を印加した状態で、固定極側に音声信号による交流電圧を印加し、振動板と固定極との間に発生する静電引力，斥力により振動板を駆動する（例えば、特許文献１参照）。
【０００３】
固定極に加える電圧が約１００Ｖｒｍｓで約１００ｄＢＳＰＬの音圧を得ることができ、振動板の振動にともなって発生する音波は、固定極に穿設されている音孔を通って放音される。
【０００４】
コンデンサヘッドホンユニットにおいて、振動板の音響的な制動には、通常、振動板と固定極との間に存在する薄空気層による抵抗が用いられるが、組み立て後に、その抵抗値の調整を必要とする場合がある。
【０００５】
その調整方法の一つとして、薄空気層の抵抗だけで調整する場合には、振動板と固定極との間隔，音孔の数および／または音孔の孔径を種々変えて、最適な抵抗値を得ることになるが、これには多くの試作を必要とするため、コストと時間がかかる。
【０００６】
別の調整方法として、音孔を覆うように固定極にフェルト材等の繊維からなる音響抵抗材を貼り付ける方法もあるが、この方法にしても、音響抵抗材の材質および厚さ等の選択に時間がかかるばかりでなく、音響抵抗材の繊維が音孔から薄空気層内に入り込み、それが振動板にあたると絶縁不良等の不具合が発生することがある。
【先行技術文献】
【特許文献】
【０００７】
【特許文献１】２００６−４１５６７号公報
【発明の概要】
【発明が解決しようとする課題】
【０００８】
したがって、本発明の課題は、コンデンサヘッドホンユニットにおける振動板の制動を簡単に調整できるようにすることにある。
【課題を解決するための手段】
【０００９】
上記課題を解決するため、本発明は、振動板と、上記振動板と薄空気層を介して対向的に配置される固定極とを含み、上記固定極における上記振動板の有効振動部分と対向する部分に複数の音孔が穿設されているコンデンサヘッドホンユニットにおいて、上記固定極の反振動板側に、所定の間隔をもって上記固定極と平行に配置される抵抗板を備え、上記抵抗板には、上記振動板の振動に伴って発生し上記音孔を通る音波に対する音響抵抗を調整する複数の音響抵抗孔が穿設されていることを特徴としている。
【００１０】
本発明の好ましい態様によれば、上記音響抵抗孔は、上記音孔に対して非同軸の位置に配置される。
【００１１】
本発明において、上記音響抵抗孔の数は、上記抵抗板の中央部分においては少なく、上記抵抗板の周縁部分では上記中央部分の数よりも多くされていることが好ましい。
【００１２】
また、上記音響抵抗孔の孔径は、上記抵抗板の中央部分では小径であり、上記中央部分の周りの周縁部分に行くにしたがって大径とされていてもよい。
【００１３】
また、上記抵抗板は、上記固定極に対して、その面方向に移動可能であることが好ましい。
【００１４】
また、上記固定極と上記抵抗板との対向面のいずれか一方の面には、起立パイルが植設されていることが好ましい。
【００１５】
また、上記起立パイルは、少なくとも上記抵抗板と上記固定極との間隔に相当する長さを備えているとよい。
【００１６】
また、上記起立パイルは、上記固定極側に植設され、上記音孔内および上記固定極の上記振動板と対向する面側にも設けられていることが好ましい。
【発明の効果】
【００１７】
本発明によれば、振動板と、上記振動板と薄空気層を介して対向的に配置される固定極とを含み、固定極における振動板の有効振動部分と対向する部分に複数の音孔が穿設されているコンデンサヘッドホンユニットにおいて、上記固定極の反振動板側（固定極の背面側）に、振動板の振動に伴って発生し音孔を通る音波に対する音響抵抗を調整する複数の音響抵抗孔を有する抵抗板を所定の間隔をもって固定極と平行に配置したことにより、固定極の背面側に音孔から音響抵抗孔に至る音波通路が形成され、音孔に対する音響抵抗孔の位置や孔径等を変えることにより、音波通路の音響抵抗を調整することができ、振動板に適切な制動をかけることが可能となる。
【００１８】
また、固定極と抵抗板との対向面のいずれか一方の面に、好ましくは抵抗板と固定極との間隔に相当する長さを有する起立パイルを植設したことにより、ゴミ等が音孔から薄空気層内に入り込むことを防止することができる。
【図面の簡単な説明】
【００１９】
【図１】本発明の実施形態に係るコンデンサヘッドホンユニットの構成を示す模式的な断面図。
【図２】上記コンデンサヘッドホンユニットにおける固定極を示す正面図。
【図３】本発明の要部を示す拡大断面図。
【図４】上記コンデンサヘッドホンユニットの等価回路図。
【発明を実施するための形態】
【００２０】
次に、図１ないし図３により、本発明の実施形態について説明するが、本発明はこれに限定されるものではない。
【００２１】
図１を参照して、この実施形態に係るコンデンサヘッドホンユニットは、振動板１０と固定極２０とを備え、図示しないイヤーパットを含むヘッドホンハウジング内に収納される。
【００２２】
振動板１０には、例えば金蒸着膜を有するＰＰＳ（ポリフェニンサルファイド）等の薄膜フィルムが用いられてよい。振動板１０は、振動板支持リング（ダイアフラムリング）１１に所定の張力をもって張設されている。
【００２３】
この実施形態において、固定極２０には、片面銅張り積層基板からなる回路基板が用いられ、図３に示すように、固定極２０の振動板１０と対向する面側には、銅箔よりなる電極面２１が形成されている。これとは異なり、固定極２０をアルミニウム等の金属板としてもよい。
【００２４】
振動板１０と固定極２０は、図示しないスペーサ部材により薄空気層を介して対向的に配置される。この実施形態において、固定極２０は振動板１０の片側のみに配置されているが、プッシュプル型の場合には、固定極２０は振動板１０の両側に配置される。この態様のコンデンサヘッドホンユニットも本発明に含まれる。
【００２５】
図示しない駆動回路により、例えば振動板１０側には所定の直流電圧が印加され、固定極２０側には音声信号の交流電圧が印加される。これにより、振動板１０は、固定極２０との間に生ずる静電引力と斥力と受けて振動する。
【００２６】
固定極２０には、振動板１０の振動にともなって発生する音波を放音するための音孔（音波を通すための孔）２２が穿設されている。図２に示すように、音孔２２は、固定極２０における振動板１０の有効振動部分と対応する中央部分に集中して配置されている。
【００２７】
図４に、この実施形態に係るコンデンサヘッドホンユニットの等価回路図を示す。この等価回路図において、Ｚｅは聴者の耳のインピーダンス，Ｚａは外部への放射インピーダンス，Ｅは音源，ｓｆはイヤーパット内の容積のスチフネス，ｒ１は音孔２２の音響抵抗，ｍｏは振動板１０の質量，ｓｏは振動板１０のスチフネス，ｓ１は薄空気層の容積のスチフネスである。
【００２８】
本発明では、振動板１０の制動を音孔２２の音響抵抗ｒ１を変化させて調整する。そのため、この実施形態に係るコンデンサヘッドホンユニットは、固定極２０の反振動板側（背面側）に抵抗板３０を備える。
【００２９】
抵抗板３０は、複数の音響抵抗孔３１を有する多孔板として、固定極２０に対して所定の間隔をもって平行に配置される。
【００３０】
音響抵抗孔３１は、固定極２０の音孔２２と同径，音孔２２よりも大径，音孔２２よりも小径のいずれであってもよいが、図３に示すように、好ましくは音孔２２と非同軸の位置、すなわち音孔２２からずれされた位置に配置される。
【００３１】
これによれば、固定極２０と抵抗板３０との間に、図３の矢印Ａで示すように、音孔２２から音響抵抗孔３１に至る屈曲した音波通路が形成され、音響抵抗孔３１の孔径や数を変えることによって音波通路の音響抵抗が調整され、振動板１０に適正な制動をかけることができる。
【００３２】
音波通路の長さを可変とするため、固定極２０に対して抵抗板３０は、その面方向（図３において上下方向）に移動可能であることが好ましい。なお、音響抵抗孔３１が音孔２２よりも小径である場合には、音孔２２と同軸的に配置されてもよい。
【００３３】
また、音響抵抗孔３１の配置および／または孔径を調整することにより、振動板１０に動くやすい部分と、動きにくい部分を作ることもできる。
【００３４】
すなわち、一般的に振動板１０の中央部分は周辺部分よりも振動の振幅が大きく、固定極２０と接触しやすい。そのため、抵抗板３０の中央部分に穿設される音響抵抗孔３１の数を少なくし、周辺部分に穿設される音響抵抗孔３１の数を多くする。
【００３５】
これにより、振動板１０の中央部分の振幅を制限しながら、大きな音圧を得ることができる。別の方法として、音響抵抗孔３１の孔径を抵抗板３０の中央部分では小径とし、中央部分の周りの周縁部分に行くにしたがって音響抵抗孔３１の孔径を大径としてもよい。
【００３６】
このように、本発明によれば、音響抵抗孔３１の孔径や配置等が異なる抵抗板３０を用意して、抵抗板３０を変えるか、および／または抵抗板３０を固定極２０に対して移動させることにより、振動板１０に適正な制動をかけることができる。
【００３７】
また、本発明では、ゴミ等が音孔２２から振動板１０と固定極２０との間の薄空気層内に入り込むことを防止するため、固定極２０と抵抗板３０との対向面のいずれか一方の面に、起立パイル４１が植設される。その植設密度は、予想されるゴミの大きさに応じて適宜選択されてよい。
【００３８】
起立パイル４１は、少なくとも固定極２０と抵抗板３０との間隔に相当する長さを備えていることが好ましく、より好ましくは、起立パイル４１は、固定極２０側に植設され、音孔２２内および固定極２０の振動板と対向する電極面２１上にも設けられるとよい。
【００３９】
これによれば、音孔２２からのゴミの侵入がより効果的に防止されるとともに、大振幅時における振動板１０と固定極２０との接触をも防止することができる。なお、起立パイル４１の少なくとも先端部に絶縁皮膜を形成することがより好ましい。
【００４０】
なお、起立パイル４１は、ナイロン，ポリエステル，レーヨン，綿等の静電植毛用パイルであることが好ましく、一例として、ナイロンパイルで太さ１．７〜３．３デシテックス，長さ０．５〜０．８ｍｍが好ましく採用される。
【符号の説明】
【００４１】
１０  振動板
２０  固定極
２１  電極面
２２  音孔
３０  抵抗板
３１  音響抵抗孔
４１  起毛パイル
【図１】
2010288107.tif 000003
【図２】
2010288107.tif 000004
【図３】
2010288107.tif 000005
【図４】
2010288107.tif 000006